(57)【特許請求の範囲】
【請求項１】
パンチボディ、リング状のスプリングリテナー、スプリング、ヘッド、ガイドとによって構成したパンチング金型において、スプリングリテナーの外側円周面に内溝を設け、また、ガイドの鍔部の内側円周面に外溝を設けるとともに、ガイドの鍔部の外側円周面に押しピンを取り付け、楕円形のバネの長手方向の一部分を、押しピンを取り付けたガイドの鍔部の外溝に嵌め込むとともに、楕円形のバネの長手方向の他部分を、押しピンを取り付けた反対側のガイドの鍔部の外溝に嵌め込み、かつ、楕円形のバネの短手方向の一部分と他部分を、スプリングリテナーの内溝に嵌め込み、スプリングリテナーをガイド内に挿着するについては、ガイドの鍔部に取り付けた押しピンを押圧して、楕円形のバネを円形に変形させることによって、楕円形のバネの短長手方向の一部分と他部分を、ガイドの鍔部の外溝に嵌め込み、バネの短手方向の一部分と他部分をスプリングリテナーの内溝に掛からない状態にして、スプリングリテナーをガイド内に挿入した後、押しピンの押圧を解除して、円形に変形させたバネを楕円形に復元させることによって、バネの短手方向の一部分と他部分をスプリングリテナーの内溝に嵌め込んで、スプリングリテナーをガイド内に保持し、さらに、スプリングリテナーをガイド内より取り外すには、ガイドの鍔部に取り付けた押しピンを押圧して、楕円形のバネを円形に変形させることによって、楕円形のバネの短長手方向の一部分と他部分を、ガイドの鍔部の外溝に嵌め込み、バネの短手方向の一部分と他部分をスプリングリテナーの内溝に掛からないようにして、スプリングリテナーをガイド内より取り外し、以後、押しピンの押圧の解除と押しピンの押圧を繰り返して、スプリングリテナーとガイドとの着脱を行うについて、押しピンとして、その側面に差込溝を設け、この差込溝に挿入バーを装填して保持することを特徴とするパンチング金型の着脱機構。
【発明の詳細な説明】
【技術分野】
【０００１】
本発明は金属加工等に用いるパンチング（タレットパンチプレス）金型の着脱機構に関するものである。
【背景技術】
【０００２】
従来、パンチング金型の着脱機構としては、図１と図２に示すように、上端にネジを設けたパンチボディ１、リング状のスプリングリテナー２、スプリング３、下端にネジを設けたヘッド４、ガイド５とによって構成されており、パンチボディ１をガイド５に着脱可能に取り付ける機構としては、スプリングリテナー２の外周面にＯリング６を設けるとともに、ガイド５の鍔部の内周面に溝７を設け、ガイド５をスプリングリテナー２に装着するについては、パンチボディ１に挿着されているガイド５を上方に摺動させて、ガイド５の溝７をスプリングリテナー２のＯリング６に嵌め込み、また、ガイド５をスプリングリテナー２から脱離するについては、ガイド５を下方に摺動させて、ガイド５の溝をスプリングリテナー２のＯリング６より外して、図１に示す状態に戻すものが多く、特開平６−２７８０９６号のパンチング金型もこの着脱機構を採用している。
【０００３】
【特許文献１】特開平６−２７８０９６号
【０００４】
しかし、前述したパンチング金型の着脱機構においては、ガイド５の溝をスプリングリテナー２のＯリング６に嵌め込む際に、Ｏリング６を変形させるという大きな力でガイド５を圧入する必要があるために、作業効率が悪い欠点があり、特に、ガイド５の溝７をスプリングリテナー２のＯリング６より外す際には、ガイド５とスプリングリテナー２の間にドライバー等の工具を差し込んで、テコの原理でガイド５をスプリングリテナー２から脱離することが多く、作業効率が一段と悪化するばかりか、ガイド５やスプリングリテナー２を損傷するおそれもあり、また、Ｏリング６の劣化によって、外力を加えない時でも、ガイド５とスプリングリテナー２が脱離する不都合があった。
【発明の開示】
【発明が解決しようとする課題】
【０００５】
本発明は、パンチング金型の着脱機構において、従来のように、Ｏリングを変形させるという大きな力を必要とせずに、簡単な操作で、作業効率よく、確実に、パンチング金型のガイドとスプリングリテナーの着脱を行うことに目的があり、特に、ガイドの溝をスプリングリテナーのＯリングより外す際に、ガイドとスプリングリテナーの間にドライバー等を差し込むような余計な作業や工具等を使用することなく、ガイドやスプリングリテナーを損傷せずに、ガイドをスプリングリテナーから取り外すことに目的がある。
【課題を解決するための手段】
【０００６】
本発明は、パンチボディ、リング状のスプリングリテナー、スプリング、ヘッド、ガイドとによって構成したパンチング金型の着脱機構に関するもので、スプリングリテナーの外側円周面に内溝を設け、ガイドの鍔部の内側円周面に外溝を設けるとともに、ガイドの鍔部の外側円周面に押しピンを取り付け、このスプリングリテナーの内溝とガイドの鍔部の外溝に楕円形のバネを嵌め込むについては、楕円形のバネの長手方向の一部分を、押しピンを取り付けたガイドの鍔部の外溝に嵌め込むとともに、楕円形のバネの長手方向の他部分を、押しピンを取り付けた反対側のガイドの鍔部の外溝に嵌め込み、かつ、楕円形のバネの短手方向の一部分と他部分を、スプリングリテナーの内溝に嵌め込むことによって、スプリングリテナーをガイド内に挿着する準備状態を形成し、次いで、スプリングリテナーをガイド内に挿着するについては、ガイドの鍔部に取り付けた押しピンを押圧して、楕円形のバネを円形に変形させることによって、楕円形のバネの短長手方向の一部分と他部分を、ガイドの鍔部の外溝に嵌め込み、バネの短手方向の一部分と他部分をスプリングリテナーの内溝に掛からない状態にして、スプリングリテナーをガイド内に挿入した後、押しピンの押圧を解除して、円形に変形させたバネを楕円形に復元させることによって、バネの短手方向の一部分と他部分をスプリングリテナーの内溝に嵌め込んで、スプリングリテナーをガイド内に保持し、さらに、スプリングリテナーをガイド内より取り外すには、ガイドの鍔部に取り付けた押しピンを押圧して、楕円形のバネを円形に変形させることによって、楕円形のバネの短長手方向の一部分と他部分を、ガイドの鍔部の外溝に嵌め込み、バネの短手方向の一部分と他部分をスプリングリテナーの内溝に掛からないようにして、スプリングリテナーをガイド内より取り外し、以後、押しピンの押圧の解除と押しピンの押圧を繰り返して、スプリングリテナーとガイドとの着脱を行うことを特徴とする。
【０００７】
また、本発明は、前述したパンチング金型の着脱機構において、ガイドの鍔部に取り付けた押しピンとして、その側面に差込溝を設け、この差込溝に挿入バーを装填してに押しピンを確実、安全に保持することに特徴がある。
【０００８】
さらに、本発明は、前述したパンチング金型の着脱機構において、ガイドの鍔部の外側円周面に取り付けた押しピンの代わりに、回転カムを設けて着脱機構を簡便にすることに特徴がある。
【発明の効果】
【０００９】
本発明によると、従来のように、Ｏリングを変形させるという大きな力を必要とせずに、簡単な操作で、作業効率よく、パンチング金型のガイドとスプリングリテナーの着脱を行うことが可能であり、特に、ガイドの溝をスプリングリテナーのＯリングより外す際に、ガイドとスプリングリテナーの間にドライバー等の工具を差し込むような余計な作業を行うことなく、ガイドやスプリングリテナーを損傷せずに、ガイドをスプリングリテナーから取り外すことができる利点がある。
【発明を実施するための最良の形態】
【００１０】
本発明のパンチング金型の着脱機構の一例を、図に従って説明すると、パンチボディ１、リング状のスプリングリテナー２、スプリング３、ヘッド４、ガイド５とによって構成されることは、前述した図１と図２に示した従来のパンチング金型と同じであるが、従来のパンチング金型と異なる構成は、図３〜図６に示すように、スプリングリテナー２の外側円周面に内溝７を設け、また、ガイド５の鍔部の内側円周面に外溝１０を設けるとともにガイド５の鍔部の外側円周面に押しピン９を取り付け、さらに、楕円形のバネ８を内溝７と外溝１０に取り付ける点である。
【００１１】
スプリングリテナー２の内溝７とガイド５の鍔部の外溝１０に楕円形のバネ８を嵌め込むについては、図３に示すように、楕円形のバネ８の長手方向の一部分８Ｌａを、押しピン９を取り付けたガイド５の鍔部の外溝１０に嵌め込むとともに、楕円形のバネ８の長手方向の他部分８Ｌｂを、押しピン９を取り付けたガイド５の反対側のガイド５の鍔部の外溝１０に嵌め込み、かつ、図４に示すように、楕円形のバネの短手方向の一部分８Ｌａと他部分８Ｌｂを、スプリングリテナー２の内溝７に嵌め込んで、スプリングリテナー２をガイド５内に挿着する準備状態を形成する。
【００１２】
次いで、スプリングリテナー２をガイド５内に挿着するについては、ガイド５の鍔部に取り付けた押しピン８を指で押圧して、楕円形のバネ８を弾性に抗して円形に変形させることによって、楕円形のバネの短長手方向の一部分８Ｌａと他部分８Ｌｂを、ガイド５の鍔部の外溝１０に嵌め込んで、スプリングリテナー２の内溝７に掛からない状態にして、スプリングリテナー２をガイド５内に挿入した後、押しピン８の押圧を解除して、円形に変形させたバネ８を弾性によって楕円形に復元させることによって、バネの短手方向の一部分８Ｌａと他部分８Ｌｂをスプリングリテナー２の内溝７に嵌め込んで、スプリングリテナー２をガイド５内に保持する。
【００１３】
スプリングリテナー２をガイド５内より取り外すには、図５と図６に示すように、ガイド５の鍔部に取り付けた押しピン９を指で押圧して、楕円形のバネ８の弾性に抗して円形に変形させることによって、楕円形のバネの短手方向の一部分８Ｌａと他部分８Ｌｂを、ガイド５の鍔部の外溝１０に嵌め込み、スプリングリテナー２の内溝７に掛からないようにして、スプリングリテナー２をガイド５内より取り外す。
【００１４】
すなわち、楕円形のバネ８の長手方向の径はガイド５の鍔部の外溝１０の径より若干短くし、また、楕円形のバネ８の短手方向の径はスプリングリテナー２の内溝７の径より若干短くする必要があり、図７に示すように、指で押しピン９を押圧して楕円形のバネ８を弾性に抗して円形に変形、拡張して、楕円形のバネの短手方向の一部分８Ｌａと他部分８Ｌｂを、スプリングリテナー２の内溝７より外して、ガイド５の鍔部の外溝１０に嵌め込むことによって、スプリングリテナー２をガイド５内より取り外すことが可能になり、また、指を外して押しピン９による押圧を解除すると、図８に示すように、弾性によって楕円形のバネ８に復元、収縮して、楕円形のバネの短手方向の一部分８Ｌａと他部分８Ｌｂを、ガイド５の鍔部の外溝１０より外して、スプリングリテナー２の内溝７に嵌め込むことによって、スプリングリテナー２をガイド５内に取り付けることが可能になる。
【００１５】
以後は、前述した指による押しピン８の押圧と押圧の解除とを繰り返して、スプリングリテナー２とガイド５との着脱を行えばよいが、押しピン８の押圧と押圧の解除操作を、より確実、安全に行うために、図９に示すように、押しピン８の側面に差込溝１１を設け、この摺動溝１１にガイド５に付設した挿入バー１２を差し込むことによって、押しピン８をガイド５より抜け落ちし難くした状態で押しピン８の押圧と押圧の解除を確実、安全に行うようにする。
【００１６】
ガイド５の鍔部の外側円周面に取り付けた押しピン９の代わりに、図１０に示すように、回転カム１３を設けて、指で回転カム１３を９０度回転させることによって、押しピン８の押圧と押圧の解除を簡易に行うようにしてもよい。
【産業上の利用可能性】
【００１７】
本発明は、工作機械の金属加工等に用いるパンチング金型に利用できる。
【図面の簡単な説明】
【００１８】
【図１】スプリングリテナーにガイドを嵌め込んだ状態を示す従来のパンチング金型の着脱機構の正面断面図である。
【図２】スプリングリテナーよりガイドを引き抜いた状態を示す従来のパンチング金型の着脱機構の正面断面図である。
【図３】楕円形のバネの長手方向の一部分を押しピンを取り付けたガイドの外溝に嵌め込むとともに、楕円形のバネの長手方向の他部分を押しピンを取り付けたガイドの反対側のガイドの外溝に嵌め込んで、スプリングリテナーをガイド内に挿着した状態を示す本発明のパンチング金型の着脱機構の正面断面図である。
【図４】楕円形のバネの短手方向の一部分と他部分をスプリングリテナーの内溝に嵌め込んで、スプリングリテナーをガイド内に挿着した状態を示す本発明のパンチング金型の着脱機構の側面断面図である。
【図５】押しピンを押圧して楕円形のバネを円形に変形させて楕円形のバネの長手方向の一部分を押しピンを取り付けたガイドの外溝に維持するとともに、楕円形のバネの長手方向の他部分を押しピンを取り付けたガイドの反対側のガイドの外溝に嵌め込んで、スプリングリテナーをガイド内より取り外す状態を示す本発明のパンチング金型の着脱機構の正面断面図である。
【図６】押しピンを押圧して楕円形のバネを円形に変形させて楕円形のバネの短手方向の一部分と他部分を、ガイドの外溝に嵌め込んで、スプリングリテナーをガイド内より取り外す状態を示す本発明のパンチング金型の着脱機構の側面断面図である。
【図７】押しピンを押圧して楕円形のバネを円形に変形して、楕円形のバネの短手方向の一部分と他部分を、スプリングリテナーの内溝より外して、ガイドの外溝に嵌め込むことによって、スプリングリテナーをガイド内より取り外す状態を示す本発明のパンチング金型の着脱機構のイーイ線断面図である。
【図８】押しピンによる押圧を解除して弾性によって楕円形のバネに復元し、楕円形のバネの短手方向の一部分と他部分をガイドの外溝より外して、スプリングリテナーの内溝に嵌め込むことによって、スプリングリテナーをガイド内に取り付ける状態を示す本発明のパンチング金型の着脱機構のイーイ線断面図である。
【図９】押しピンの側面に差込溝を設けて挿入バーを差し込む状態を示す本発明のパンチング金型の着脱機構の斜視説明図である。
【図１０】回転カムを回転させて押しピンの押圧する状態を示す本発明のパンチング金型の着脱機構のイーイ線断面図である。
【符号の説明】
【００１９】
１    パンチボディ
２    スプリングリテナー
３    スプリング
４    ヘッド
５    ガイド
６    Ｏリング
７    内溝
８    バネ
９    押しピン
１０  外溝
１１  差込溝
１２  挿入バー
１３  カム
【図１】
0005284613.tif 000002
【図２】
0005284613.tif 000003
【図３】
0005284613.tif 000004
【図４】
0005284613.tif 000005
【図５】
0005284613.tif 000006
【図６】
0005284613.tif 000007
【図７】
0005284613.tif 000008
【図８】
0005284613.tif 000009
【図９】
0005284613.tif 000010
【図１０】
0005284613.tif 000011